(57)【要約】【課題】利用者が望む商品の情報を利用者に提供することが可能な商品情報提供システム、情報サーバ、携帯通信端末、商品情報提供方法および商品情報取得方法を提供する。【解決手段】情報サーバ３００の通信部３０１が、携帯通信端末から、携帯通信端末が受信した放送の内容を示すコンテンツ情報と利用者ＩＤを受信すると、制御部３０６は、それらを関連づけて利用者記憶部３０２に格納する。通信部３０１が、携帯通信端末から、商品情報要求としての利用者ＩＤを受信すると、制御部３０６は、その利用者ＩＤに関連づけられたコンテンツ情報を利用者記憶部３０２から読み取り、そのコンテンツ情報に応じて、携帯端末装置に提供する商品情報を変更する。【選択図】図３
2007233693.tif 000002
【特許請求の範囲】
【請求項１】
放送の受信機能を備える通信端末と、前記通信端末から商品を要求する旨の商品情報要求が送信されると該商品情報要求に応じて商品情報を該通信端末に提供する情報サーバと、を含む商品情報提供システムであって、
前記通信端末は、
前記放送を特定するためのコンテンツＩＤを含む放送を受信する放送受信部と、
前記通信端末の利用者を特定するための利用者ＩＤを格納する利用者ＩＤ格納部と、
前記放送受信部にて受信されたコンテンツＩＤを前記利用者ＩＤ格納部に格納された利用者ＩＤとともに前記情報サーバへ送信し、また、前記商品情報要求として前記利用者ＩＤを前記情報サーバへ送信し、また、前記商品情報を受信する無線通信部と、を含み、
前記情報サーバは、
前記通信端末から前記コンテンツＩＤおよび前記利用者ＩＤをする受信部と、
前記コンテンツＩＤと前記利用者ＩＤとを関連づけて格納する利用者記憶部と、
複数の前記商品情報を記憶する商品記憶部と、
前記受信部が前記コンテンツＩＤおよび前記利用者ＩＤを受信した場合には、前記利用者記憶部に受信した前記コンテンツＩＤと前記利用者ＩＤとを関連づけて格納させ、前記受信部が前記商品情報要求としての前記利用者ＩＤを受信した場合には、前記利用者ＩＤに関連づけられた前記コンテンツＩＤを前記利用者記憶部から読み取り、該コンテンツＩＤに応じて、前記商品記憶部から読み出す商品情報を変更して前記通信端末に提供する制御部と、を含む、商品情報提供システム。
【請求項２】
請求項１に記載の商品情報提供システムにおいて、
前記情報サーバは、
前記コンテンツＩＤごとに、該コンテンツＩＤを含む放送に関連する商品を特定するための商品ＩＤを格納するコンテンツ記憶部をさらに含み、
前記商品記憶部は、商品ＩＤごとに、該商品ＩＤにて特定される商品に関する商品情報を格納し、
前記制御部は、前記受信部が前記商品情報要求としての前記利用者ＩＤを受け付けると、該利用者ＩＤに関連づけられたコンテンツＩＤを前記利用者記憶部から読み取り、該コンテンツＩＤに対応する商品ＩＤを前記コンテンツ記憶部から読み取り、該商品ＩＤに対応する商品情報を前記商品記憶部から読み取り、該商品情報を、前記通信端末に提供する制御部と、を含む、商品情報提供システム。
【請求項３】
放送の受信機能を備える通信端末から送信された、商品を要求する旨の商品情報要求に応じて、商品情報を該通信端末に提供する情報サーバであって、
前記通信端末から、該通信端末が受信した放送を特定するためのコンテンツＩＤと、該通信端末の利用者を特定するための利用者ＩＤを受信する受信部と、
前記コンテンツＩＤと前記利用者ＩＤとを関連づけて格納する利用者記憶部と、
複数の前記商品情報を記憶する商品記憶部と、
前記受信部が前記コンテンツＩＤおよび前記利用者ＩＤを受信した場合には、前記利用者記憶部に受信した前記コンテンツＩＤと前記利用者ＩＤとを関連づけて格納させ、前記受信部が前記商品情報要求としての前記利用者ＩＤを受信した場合には、前記利用者ＩＤに関連づけられた前記コンテンツＩＤを前記利用者記憶部から読み取り、該コンテンツＩＤに応じて、前記商品記憶部から読み出す商品情報を変更して前記通信端末に提供する制御部と、を含む情報サーバ。
【請求項４】
請求項３に記載の情報サーバにおいて、
前記コンテンツＩＤごとに、該コンテンツＩＤを含む放送に関連する商品を特定するための商品ＩＤを格納するコンテンツ記憶部をさらに含み、
前記商品記憶部は、商品ＩＤごとに、該商品ＩＤにて特定される商品に関する商品情報を格納し、
前記制御部は、前記受信部が前記商品情報要求としての前記利用者ＩＤを受け付けると、該利用者ＩＤに関連づけられたコンテンツＩＤを前記利用者記憶部から読み取り、該コンテンツＩＤに対応する商品ＩＤを前記コンテンツ記憶部から読み取り、該商品ＩＤに対応する商品情報を前記商品記憶部から読み取り、該商品情報を、前記通信端末に提供する制御部と、を含む情報サーバ。
【請求項５】
請求項３または４に記載の情報サーバに、商品を要求する旨の商品情報要求を送信し、該商品情報要求に応じて該情報サーバから送信された商品情報を受け付け、放送の受信機能を備える通信端末であって、
前記放送を特定するためのコンテンツＩＤを含む放送を受信する放送受信部と、
前記通信端末の利用者を特定するための利用者ＩＤを格納する利用者ＩＤ格納部と、
前記放送受信部にて受信されたコンテンツＩＤを前記利用者ＩＤ格納部に格納された利用者ＩＤとともに前記情報サーバに送信し、また、前記商品情報要求として前記利用者ＩＤを前記情報サーバに送信し、また、前記情報サーバから前記商品情報を受信する無線通信部と、を含む通信端末。
【請求項６】
利用者を特定するための利用者ＩＤを格納し放送の受信機能を備える通信端末と、前記通信端末から商品を要求する旨の商品情報要求が送信されると該商品情報要求に応じて商品情報を該通信端末に提供し、また、複数の前記商品情報を格納する情報サーバと、を含む商品情報提供システムが行う商品情報提供方法であって、
前記通信端末が、前記放送を特定するためのコンテンツＩＤを含む放送を受信する放送受信ステップと、
前記通信端末が、前記受信されたコンテンツＩＤを前記利用者ＩＤとともに前記情報サーバに送信するコンテンツＩＤ送信ステップと、
前記情報サーバが、前記通信端末から前記コンテンツＩＤおよび前記利用者ＩＤを受信するコンテンツＩＤ受信ステップと、
前記情報サーバが、前記受信されたコンテンツＩＤを前記受信された利用者ＩＤに関連づけて格納する利用者情報格納ステップと、
前記通信端末が、前記商品情報要求として前記利用者ＩＤを前記情報サーバに送信する商品情報要求送信ステップと、
前記情報サーバが、前記通信端末から前記商品情報要求としての前記利用者ＩＤを受信する商品情報要求受信ステップと、
前記情報サーバが、前記商品情報要求としての前記利用者ＩＤに関連づけられたコンテンツＩＤに応じて、前記通信端末に提供する前記商品情報を変更する商品情報変更ステップと、を含む商品情報提供方法。
【請求項７】
請求項６に記載の商品情報提供方法において、
前記情報サーバは、前記コンテンツＩＤごとに、該コンテンツＩＤを含む放送に関連する商品を特定するための商品ＩＤを格納し、また、前記商品ＩＤごとに、該商品ＩＤにて特定される商品に関する商品情報を格納し、
前記商品情報変更ステップでは、前記情報サーバは、前記商品情報要求としての前記利用者ＩＤを受け付けると、該利用者ＩＤに関連づけられたコンテンツＩＤを読み取り、該コンテンツＩＤに対応する商品ＩＤを読み取り、該商品ＩＤに対応する商品情報を読み取り、該商品情報を、前記通信端末に提供する、商品情報提供方法。
【請求項８】
放送の受信機能を備える通信端末から送信された、商品を要求する旨の商品情報要求に応じて商品情報を該通信端末に提供し、複数の前記商品情報を格納する情報サーバが行う商品情報提供方法であって、
前記通信端末から、該通信端末が受信した放送を特定するためのコンテンツＩＤを該通信端末の利用者を特定するための利用者ＩＤとともに受信するコンテンツＩＤ受信ステップと、
前記受信されたコンテンツＩＤを前記受信された利用者ＩＤに関連づけて格納する利用者情報格納ステップと、
前記通信端末から、前記商品情報要求として前記利用者ＩＤを受信する商品情報要求受信ステップと、
前記商品情報要求としての前記利用者ＩＤが受信されると、該利用者ＩＤに関連づけられたコンテンツＩＤに応じて、前記通信端末に提供する前記商品情報を変更する商品情報変更ステップと、を含む商品情報提供方法。
【請求項９】
請求項８に記載の商品情報提供方法において、
前記情報サーバは、前記コンテンツＩＤごとに、該コンテンツＩＤを含む放送に関連する商品を特定するための商品ＩＤを格納し、また、前記商品ＩＤごとに、該商品ＩＤにて特定される商品に関する商品情報を格納し、
前記商品情報変更ステップでは、前記商品情報要求としての前記利用者ＩＤが受け付けられると、該利用者ＩＤに関連づけられたコンテンツＩＤを読み取り、該コンテンツＩＤに対応する商品ＩＤを読み取り、該商品ＩＤに対応する商品情報を読み取り、該商品情報を、前記通信端末に提供する、商品情報提供方法。
【請求項１０】
利用者を特定するための利用者ＩＤを格納し、請求項３または４に記載の情報サーバに商品情報要求を送信し、該商品情報要求に応じて該情報サーバが送信した商品情報を受け付け、放送の受信機能を備える通信端末が行う商品情報取得方法であって、
前記放送を特定するためのコンテンツＩＤを含む放送を受信する放送受信ステップと、
前記受信されたコンテンツＩＤを前記利用者ＩＤとともに前記情報サーバに送信するコンテンツＩＤ送信ステップと、
前記商品情報要求として前記利用者ＩＤを前記情報サーバに送信する商品情報要求送信ステップと、
前記情報サーバから前記商品情報を受信する商品情報受信ステップと、を含む商品情報取得方法。
【請求項１１】
放送の受信機能を備える通信端末から送信された商品情報要求に応じて商品情報を該通信端末に提供する商品情報提供処理を、複数の前記商品情報を記憶する商品記憶部と接続されたコンピュータに実行させるプログラムであって、
前記通信端末から、該通信端末が受信した放送を特定するためのコンテンツＩＤを該通信端末の利用者を特定するための利用者ＩＤとともに受信するコンテンツＩＤ受信処理と、
前記受信されたコンテンツＩＤを前記受信された利用者ＩＤに関連づけて格納する利用者情報格納処理と、
前記通信端末から、前記商品情報要求として前記利用者ＩＤを受信する商品情報要求受信処理と、
前記商品情報要求としての前記利用者ＩＤが受信されると、該利用者ＩＤに関連づけられたコンテンツＩＤに応じて、前記商品記憶部から読み出す商品情報を変更して前記通信端末に提供する商品情報変更処理と、を含む商品情報提供処理を、前記コンピュータに実行させるプログラム。
【請求項１２】
利用者を特定するための利用者ＩＤを格納し、放送の受信機能を備えるコンピュータに、請求項３または４に記載の情報サーバに商品情報要求を送信し、かつ、該商品情報要求に応じて該情報サーバが送信した商品情報を受け付ける商品情報取得処理を実行させるプログラムであって、
前記放送を特定するためのコンテンツＩＤを含む放送を受信する放送受信処理と、
前記受信されたコンテンツＩＤを前記利用者ＩＤとともに前記情報サーバに送信するコンテンツＩＤ送信処理と、
前記商品情報要求として前記利用者ＩＤを前記情報サーバに送信する商品情報要求送信処理と、
前記情報サーバから前記商品情報を受信する商品情報受信処理と、を含む商品情報取得処理を、前記コンピュータに実行させるプログラム。
【発明の詳細な説明】
【技術分野】
【０００１】
本発明は、商品情報提供システム、情報サーバ、通信端末、商品情報提供方法、商品情報取得方法およびプログラムに関し、特には、放送を受信可能な通信端末に商品情報を提供する商品情報提供システム、情報サーバ、通信端末、商品情報提供方法、商品情報要求方法およびプログラムに関する。
【背景技術】
【０００２】
従来の商品販売では、利用者が、直接小売店に出向いて、あるいは、予め用意された商品カタログや広告等により提供される商品情報を参照することで、商品の注文および購入等が行われていた。
【０００３】
また、特許文献１（特開２００１−３５７３１５号公報）には、ＴＶ画面上で、商品の注文と、商品の受け取り場所と、商品の受け取り時刻を指定できるシステムが記載されている。このシステムでは、販売者が提供可能な商品が、利用者の通信装置に表示される。
【特許文献１】特開２００１−３５７３１５号公報
【発明の開示】
【発明が解決しようとする課題】
【０００４】
利用者は、直接小売店に出向いて商品を購入する場合、小売店に出向くための時間を要していた。
【０００５】
また、商品カタログによる商品情報の提供は、利用者の購入意志、嗜好に沿ったカタログ等が用意されている、あるいは、特定の顧客層を対象とした商品カタログが用意されていれば、利用者は、商品の選択および注文を円滑に行うことができるが、そうでない場合は、商品の選択までに時間を要する。
【０００６】
特に、携帯通信端末による商品検索作業は、品数（品揃え）が豊富なほど繁雑となるため、利用者と販売者の双方から、その改善が望まれていた。
【０００７】
また、特許文献１に記載のシステムの場合も、販売者が提供可能な商品が、利用者の嗜好に合わない場合、利用者は、自らが望む商品を得ることができない。
【０００８】
本発明の目的は、利用者が望む商品の情報を利用者に提供することが可能な商品情報提供システム、情報サーバ、携帯通信端末、商品情報提供方法、商品情報取得方法およびプログラムを提供することである。
【課題を解決するための手段】
【０００９】
上記目的を達成するため、本発明の商品情報提供システムは、放送の受信機能を備える通信端末と、前記通信端末から商品を要求する旨の商品情報要求が送信されると該商品情報要求に応じて商品情報を該通信端末に提供する情報サーバと、を含む商品情報提供システムであって、前記通信端末は、前記放送を特定するためのコンテンツＩＤを含む放送を受信する放送受信部と、前記通信端末の利用者を特定するための利用者ＩＤを格納する利用者ＩＤ格納部と、前記放送受信部にて受信されたコンテンツＩＤを前記利用者ＩＤ格納部に格納された利用者ＩＤとともに前記情報サーバへ送信し、また、前記商品情報要求として前記利用者ＩＤを前記情報サーバへ送信し、また、前記商品情報を受信する無線通信部と、を含み、前記情報サーバは、前記通信端末から前記コンテンツＩＤおよび前記利用者ＩＤをする受信部と、前記コンテンツＩＤと前記利用者ＩＤとを関連づけて格納する利用者記憶部と、複数の前記商品情報を記憶する商品記憶部と、前記受信部が前記コンテンツＩＤおよび前記利用者ＩＤを受信した場合には、前記利用者記憶部に受信した前記コンテンツＩＤと前記利用者ＩＤとを関連づけて格納させ、前記受信部が前記商品情報要求としての前記利用者ＩＤを受信した場合には、前記利用者ＩＤに関連づけられた前記コンテンツＩＤを前記利用者記憶部から読み取り、該コンテンツＩＤに応じて、前記商品記憶部から読み出す商品情報を変更して前記通信端末に提供する制御部と、を含む。
【００１０】
また、本発明の商品情報提供方法は、利用者を特定するための利用者ＩＤを格納し放送の受信機能を備える通信端末と、前記通信端末から商品を要求する旨の商品情報要求が送信されると該商品情報要求に応じて商品情報を該通信端末に提供し、また、複数の前記商品情報を格納する情報サーバと、を含む商品情報提供システムが行う商品情報提供方法であって、前記通信端末が、前記放送を特定するためのコンテンツＩＤを含む放送を受信する放送受信ステップと、前記通信端末が、前記受信されたコンテンツＩＤを前記利用者ＩＤとともに前記情報サーバに送信するコンテンツＩＤ送信ステップと、前記情報サーバが、前記通信端末から前記コンテンツＩＤおよび前記利用者ＩＤを受信するコンテンツＩＤ受信ステップと、前記情報サーバが、前記受信されたコンテンツＩＤを前記受信された利用者ＩＤに関連づけて格納する利用者情報格納ステップと、前記通信端末が、前記商品情報要求として前記利用者ＩＤを前記情報サーバに送信する商品情報要求送信ステップと、前記情報サーバが、前記通信端末から前記商品情報要求としての前記利用者ＩＤを受信する商品情報要求受信ステップと、前記情報サーバが、前記商品情報要求としての前記利用者ＩＤに関連づけられたコンテンツＩＤに応じて、前記通信端末に提供する前記商品情報を変更する商品情報変更ステップとを含む。
【００１１】
また、本発明の情報サーバは、放送の受信機能を備える通信端末から送信された、商品を要求する旨の商品情報要求に応じて、商品情報を該通信端末に提供する情報サーバであって、前記通信端末から、該通信端末が受信した放送を特定するためのコンテンツＩＤと、該通信端末の利用者を特定するための利用者ＩＤを受信する受信部と、前記コンテンツＩＤと前記利用者ＩＤとを関連づけて格納する利用者記憶部と、複数の前記商品情報を記憶する商品記憶部と、前記受信部が前記コンテンツＩＤおよび前記利用者ＩＤを受信した場合には、前記利用者記憶部に受信した前記コンテンツＩＤと前記利用者ＩＤとを関連づけて格納させ、前記受信部が前記商品情報要求としての前記利用者ＩＤを受信した場合には、前記利用者ＩＤに関連づけられた前記コンテンツＩＤを前記利用者記憶部から読み取り、該コンテンツＩＤに応じて、前記商品記憶部から読み出す商品情報を変更して前記通信端末に提供する制御部とを含む。
【００１２】
また、本発明の商品情報提供方法は、放送の受信機能を備える通信端末から送信された、商品を要求する旨の商品情報要求に応じて商品情報を該通信端末に提供し、複数の前記商品情報を格納する情報サーバが行う商品情報提供方法であって、前記通信端末から、該通信端末が受信した放送を特定するためのコンテンツＩＤを該通信端末の利用者を特定するための利用者ＩＤとともに受信するコンテンツＩＤ受信ステップと、前記受信されたコンテンツＩＤを前記受信された利用者ＩＤに関連づけて格納する利用者情報格納ステップと、前記通信端末から、前記商品情報要求として前記利用者ＩＤを受信する商品情報要求受信ステップと、前記商品情報要求としての前記利用者ＩＤが受信されると、該利用者ＩＤに関連づけられたコンテンツＩＤに応じて、前記通信端末に提供する前記商品情報を変更する商品情報変更ステップとを含む。
【００１３】
また、本発明の通信端末は、上記情報サーバに、商品を要求する旨の商品情報要求を送信し、該商品情報要求に応じて該情報サーバから送信された商品情報を受け付け、放送の受信機能を備える通信端末であって、前記放送を特定するためのコンテンツＩＤを含む放送を受信する放送受信部と、前記通信端末の利用者を特定するための利用者ＩＤを格納する利用者ＩＤ格納部と、前記放送受信部にて受信されたコンテンツＩＤを前記利用者ＩＤ格納部に格納された利用者ＩＤとともに前記情報サーバに送信し、また、前記商品情報要求として前記利用者ＩＤを前記情報サーバに送信し、また、前記情報サーバから前記商品情報を受信する無線通信部とを含む。
【００１４】
また、本発明の商品情報取得方法は、利用者を特定するための利用者ＩＤを格納し、上記情報サーバに商品情報要求を送信し、該商品情報要求に応じて該情報サーバが送信した商品情報を受け付け、放送の受信機能を備える通信端末が行う商品情報取得方法であって、前記放送を特定するためのコンテンツＩＤを含む放送を受信する放送受信ステップと、前記受信されたコンテンツＩＤを前記利用者ＩＤとともに前記情報サーバに送信するコンテンツＩＤ送信ステップと、前記商品情報要求として前記利用者ＩＤを前記情報サーバに送信する商品情報要求送信ステップと、前記情報サーバから前記商品情報を受信する商品情報受信ステップと、を含む。
【００１５】
上記発明によれば、商品情報要求としての利用者ＩＤが受信されると、その利用者ＩＤに関連づけられたコンテンツＩＤが読み取られ、そのコンテンツＩＤに応じて通信端末に提供する商品情報が変更される。コンテンツＩＤは、その利用者が視聴した放送を示し、利用者が視聴した放送は、利用者の嗜好、興味および関心に依存する。
【００１６】
このため、利用者の嗜好、興味および関心に沿った商品情報を、利用者に提供することが可能になる。よって、利用者は、気に入った商品を簡単に見つけることが可能になる。
【００１７】
なお、上記情報サーバは、前記コンテンツＩＤごとに、該コンテンツＩＤを含む放送に関連する商品を特定するための商品ＩＤを格納するコンテンツ記憶部と、前記商品ＩＤごとに、該商品ＩＤにて特定される商品に関する商品情報を格納する商品記憶部と、をさらに含み、前記制御部は、前記受信部が前記商品情報要求としての前記利用者ＩＤを受け付けると、該利用者ＩＤに関連づけられたコンテンツＩＤを前記利用者記憶部から読み取り、該コンテンツＩＤに対応する商品ＩＤを前記コンテンツ記憶部から読み取り、該商品ＩＤに対応する商品情報を前記商品記憶部から読み取り、該商品情報を、前記携帯通信端末に提供することが望ましい。
【００１８】
上記発明によれば、コンテンツＩＤと商品情報を別々に管理できる。
【００１９】
また、本発明のプログラムは、放送の受信機能を備える通信端末から送信された商品情報要求に応じて商品情報を該通信端末に提供する商品情報提供処理を、複数の前記商品情報を記憶する商品記憶部と接続されたコンピュータに実行させるプログラムであって、前記通信端末から、該通信端末が受信した放送を特定するためのコンテンツＩＤを該通信端末の利用者を特定するための利用者ＩＤとともに受信するコンテンツＩＤ受信処理と、前記受信されたコンテンツＩＤを前記受信された利用者ＩＤに関連づけて格納する利用者情報格納処理と、前記通信端末から、前記商品情報要求として前記利用者ＩＤを受信する商品情報要求受信処理と、前記商品情報要求としての前記利用者ＩＤが受信されると、該利用者ＩＤに関連づけられたコンテンツＩＤに応じて、前記商品記憶部から読み出す商品情報を変更して前記通信端末に提供する商品情報変更処理と、を含む商品情報提供処理を、前記コンピュータに実行させる。
【００２０】
上記発明によれば、上記商品情報提供方法をコンピュータに実行させることが可能になる。
【００２１】
また、本発明のプログラムは、利用者を特定するための利用者ＩＤを格納し、放送の受信機能を備えるコンピュータに、上記情報サーバに商品情報要求を送信し、かつ、該商品情報要求に応じて該情報サーバが送信した商品情報を受け付ける商品情報取得処理を実行させるプログラムであって、前記放送を特定するためのコンテンツＩＤを含む放送を受信する放送受信処理と、前記受信されたコンテンツＩＤを前記利用者ＩＤとともに前記情報サーバに送信するコンテンツＩＤ送信処理と、前記商品情報要求として前記利用者ＩＤを前記情報サーバに送信する商品情報要求送信処理と、前記情報サーバから前記商品情報を受信する商品情報受信処理と、を含む商品情報取得処理を、前記コンピュータに実行させる。
【００２２】
上記発明によれば、上記商品情報取得方法をコンピュータに実行させることが可能になる。
【発明の効果】
【００２３】
本発明によれば、利用者の嗜好、興味または関心に沿った商品の情報を利用者に提供することが可能になる。
【発明を実施するための最良の形態】
【００２４】
以下、本発明の実施例を、図面を参照して説明する。
【００２５】
図１は、本発明の一実施例の商品情報提供システムを示したブロック図である。なお、本商品情報提供システムは、商品販売システムとして使用される。
【００２６】
図１において、本商品販売システムは、携帯通信端末１００と、放送事業者装置２００と、情報サーバ３００と、商品センター装置４００と、店舗端末５００とを含む。携帯通信端末１００と、放送事業者装置２００と、情報サーバ３００と、商品センター装置４００と、店舗端末５００とは、プログラム制御により動作し、インターネット等の通信ネットワーク６００に接続されている。
【００２７】
携帯通信端末１００は、携帯電話機またはＰＤＡ（Personal Digital Assistance）と同様の通信機能、および、ＴＶ放送受信機能を有する携帯型の情報処理装置である。
【００２８】
図２は、携帯通信端末１００の一例を示したブロック図である。
【００２９】
図２において、携帯通信端末１００は、放送信号処理部１０１と、無線通信部１０２と、操作部１０３と、表示部１０４と、音声処理部１０５と、スピーカ部１０６と、メモリ部１０７と、制御部１０８とを含む。なお、メモリ部１０７には、携帯通信端末１００の利用者を特定するための利用者ＩＤが格納されている。
【００３０】
放送信号処理部１０１は、放送受信部の一例であり、放送局から送信された放送信号を、アンテナ１０１ａを介して受信し、その受信した放送信号を復調することによって、その放送信号に含まれる映像、音声および情報のデータを取得する。
【００３１】
また、放送信号処理部１０１は、利用者にて設定されたチャネルでの放送信号（放送）を選択的に受信し、その放送信号に含まれる映像、音声および情報のデータを出力する。
【００３２】
なお、放送信号は、映像と音声にて定められる放送内容（コンテンツ）と、その放送内容を特定するためのコンテンツ情報とを含む。なお、コンテンツ情報は、コンテンツＩＤの一例であり、例えば、放送のジャンルを示す。
【００３３】
無線通信部１０２は、アンテナ１０２ａを介して、図示しない無線基地局装置との間で無線により情報の送受を行う。無線通信部１０２は、無線基地局装置を介して、通信ネットワーク６００と接続する。
【００３４】
無線通信部１０２は、放送信号処理部１０１が受信したコンテンツ情報をメモリ部１０７内の利用者ＩＤとともに情報サーバ３００に送信し、また、商品情報要求として利用者ＩＤを情報サーバ３００に送信する。
【００３５】
操作部１０３は、テンキー、スクロールキー、決定キー等から構成され、各種情報を受け付ける。
【００３６】
表示部１０４は、例えば、液晶表示装置であり、映像信号処理を行うことによって、画像、図形、文字および記号などの各種情報の表示を制御する。
【００３７】
音声処理部１０５は、図示しない送話部（送話マイク）および受話部（受話スピーカ）を介して入出力された音声信号を処理する。
【００３８】
スピーカ１０６は、楽音や報知音などの鳴音出力を行う。
【００３９】
メモリ部１０７は、利用者ＩＤ、電話帳情報、送受信メール情報、発着呼情報、コンテンツ情報、アプリケーションプログラム情報、携帯通信端末の各種設定、および、携帯通信端末１００の動作を規定するプログラムなどを格納する。
【００４０】
制御部１０８は、メモリ部１０７に格納されたプログラムを読み取り、そのプログラムを実行することによって、通信ネットワーク６００を介する無線通信、放送信号の受信処理、その他、携帯通信端末１００の有する機能および各部の制御を行う。
【００４１】
図１に戻って、放送事業者装置２００は、テレビ放送事業者にて管理される情報処理装置であって、放送内容（コンテンツ）に含まれる商品等の情報（当該商品等を構成する部材の情報を含む。）を管理する。
【００４２】
放送事業者装置２００は、コンテンツ情報を、そのコンテンツ情報にて特定される放送内容に関連する商品を特定するための商品ＩＤとともに、通信ネットワーク６００を介して情報サーバ３００に送信する。
【００４３】
例えば、放送事業者装置２００は、旅番組を示すコンテンツ情報に、旅行用の商品（例えば、バック）を特定する商品ＩＤを付加し、その商品ＩＤが付加されたコンテンツ情報を情報サーバ３００に送信する。情報サーバ３００は、そのコンテンツ情報を、その商品ＩＤと関連づけて格納する。
【００４４】
商品センター装置４００は、商品販売事業者の商品管理（配送）センターに設置される情報処理装置であって、商品の入出庫（在庫）を管理し、また、管理する商品の店舗への配送指示を受信したときに配送情報を出力する。
【００４５】
情報サーバ３００は、例えば、ワークステーション・サーバ等の情報処理装置であって、商品販売事業者にて管理され、利用者ＩＤごとの視聴コンテンツ情報、商品センター４００が管理する商品情報、放送事業者が提供する放送信号に含まれるコンテンツ情報を管理する。
【００４６】
また、情報サーバ３００は、利用者による商品購入要求の際に、その利用者を特定するための利用者ＩＤに対応する視聴コンテンツ情報を参照して、そのコンテンツ情報にて特定される放送内容（コンテンツ）に含まれる、あるいは関連する商品の情報（カタログ）を利用者に提供する。
【００４７】
図３は、情報サーバ３００の一例を示したブロック図である。
【００４８】
図３において、情報サーバ３００は、通信部３０１と、利用者記憶部３０２と、コンテンツ記憶部３０３と、商品記憶部３０４と、メモリ３０５と、制御部３０６とを含む。
【００４９】
通信部３０１は、受信部の一例であり、通信ネットワーク６００を介して、携帯通信端末１００、放送事業者装置２００、商品センター装置４００、および、店舗端末５００と通信する。
【００５０】
利用者記憶部３０２は、通信部３０１が携帯通信端末１００からコンテンツ情報および利用者ＩＤを受信すると、そのコンテンツ情報をその利用者ＩＤに関連づけて格納する。
【００５１】
図４は、利用者記憶部３０２の一例を示した説明図である。図４において、利用者記憶部３０２には、利用者ＩＤ３０２ａが、コンテンツ情報３０２ｂと関連づけられて格納される。
【００５２】
図３に戻って、コンテンツ記憶部３０３は、コンテンツ情報ごとに、そのコンテンツ情報にて特定される放送内容に関連する商品を特定するための商品ＩＤを格納する。なお、コンテンツ情報と商品ＩＤは、放送事業者装置２００から提供される。
【００５３】
図５は、コンテンツ記憶部３０３の一例を示した説明図である。図５において、コンテンツ記憶部３０３には、コンテンツ情報３０３ａが、商品ＩＤ３０３ｂと関連づけられて格納される。
【００５４】
図３に戻って、商品記憶部３０４は、商品ＩＤごとに、その商品ＩＤにて特定される商品に関する商品情報を格納する。なお、商品ＩＤと商品情報は、商品センター装置４００から提供される。
【００５５】
図６は、商品記憶部３０４の一例を示した説明図である。図６において、商品記憶部３０４には、商品ＩＤ３０４ａが、商品情報３０４ｂと関連づけられて格納される。商品情報３０４ｂは、例えば、商品名と、価格と、コメントとを含む。
【００５６】
図３に戻って、メモリ３０５は、コンピュータにて読み取り可能であり、情報サーバ３００の動作を規定するプログラムを記録する。
【００５７】
制御部３０６は、ＣＰＵ等のコンピュータであり、メモリ３０５に記録されたプログラムを読み取り、そのプログラムを実行して以下のような動作を実行する。
【００５８】
制御部３０６は、通信部３０１が商品情報要求としての利用者ＩＤを受信すると、その利用者ＩＤに関連づけられたコンテンツ情報を利用者記憶部３０２から読み取り、そのコンテンツ情報に応じて、携帯端末装置１００に提供する商品情報を変更する。
【００５９】
具体的には、制御部３０６は、コンテンツ情報を利用者記憶部３０２から読み取ると、そのコンテンツ情報に対応する商品ＩＤをコンテンツ記憶部３０３から読み取り、その後、その商品ＩＤに対応する商品情報を商品記憶部３０４から読み取り、その商品情報を、通信部３０１から携帯通信端末１００に提供する。
【００６０】
図１に戻って、店舗端末５００は、商品を有する店舗に設置され、注文情報を受け付ける。
【００６１】
次に、動作を説明する。
【００６２】
図７（ａ）は、情報サーバ３００が、携帯通信端末１００から送信されたコンテンツ情報および利用者ＩＤを格納する動作を説明するためのシーケンス図である。以下、図７（ａ）を参照して、コンテンツ情報および利用者ＩＤを格納する動作を説明する。
【００６３】
利用者が、操作部１０３を操作して、視聴したい放送を選択すると、携帯通信端末１００の放送信号処理部１０１は、その選択された放送を示す放送信号を受信し、制御部１０８は、その放送信号を復調して、その放送信号に含まれる映像、音声およびコンテンツ情報を取得する（ステップＳ１０１）。
【００６４】
制御部１０８は、放送信号処理部１０１が取得したコンテンツ情報を、メモリ部１０７に格納されている利用者ＩＤとともに、無線通信部１０２から情報サーバ３００に送信する（ステップＳ１０２）。
【００６５】
情報サーバ３００の通信部３０１は、携帯通信端末１００が放送信号を受信したときに送信するコンテンツ情報および利用者ＩＤを受信する（ステップＳ１０３）。
【００６６】
制御部３０６は、通信部３０１が受信したコンテンツ情報および利用者ＩＤを互いに関連づけて利用者記憶部３０２に格納する（ステップＳ１０４）。
【００６７】
なお、ステップＳ１０２において、携帯通信端末１００の制御部１０８は、例えば、以下のようにコンテンツ情報および利用者ＩＤを送信する。
【００６８】
放送信号処理部１０１が放送信号を受信している中に、制御部１０８が、所定の時間ごとに、コンテンツ情報および利用者ＩＤを送信する。あるいは、放送信号処理部１０１が放送信号を受信している中に、制御部１０８が、操作部１０３の操作（嗜好チェック入力）を検出すると、コンテンツ情報および利用者ＩＤを送信する。
【００６９】
図７（ｂ）は、情報サーバ３００が、商品センター装置４００から送信された商品ＩＤおよび商品情報を格納する動作を説明するためのシーケンス図である。以下、図７（ｂ）を参照して、商品ＩＤおよび商品情報を格納する動作を説明する。
【００７０】
情報サーバ３００は、商品センター装置４００より、商品の入出庫（在庫）が更新されるごとに商品ＩＤおよび商品情報を受信して、利用者へ提供可能な商品の情報を逐次更新管理する（ステップＳ１１１〜Ｓ１１４）。
【００７１】
図７（ｃ）は、情報サーバ３００が、放送事業者装置２００から送信されたコンテンツ情報および商品ＩＤを格納する動作を説明するためのシーケンス図である。以下、図７（ｃ）を参照して、コンテンツ情報および商品ＩＤを格納する動作を説明する。
【００７２】
情報サーバ３００は、放送事業者装置２００より、放送事業者が放送した、あるいは、放送予定の放送内容（コンテンツ）に含まれる商品等の情報（当該商品等を構成する部材の情報を含む）、具体的にはその商品の商品ＩＤを、そのコンテンツのコンテンツ情報とともに受信し、コンテンツ情報ごとに、商品ＩＤを格納管理する（ステップＳ１２１〜Ｓ１２４）。
【００７３】
図８は、情報サーバ３００が、携帯通信端末１００から商品情報要求を受け付けた際の動作を説明するためのシーケンス図である。以下、図８を参照して、情報サーバ３００が、携帯通信端末１００から商品情報要求を受け付けた際の動作を説明する。
【００７４】
携帯通信端末１００が情報サーバ３００にアクセスすると（ステップＳ２０１）、情報サーバ３００は、携帯通信端末１００に、利用者ＩＤの送信を要求する（ステップＳ２０２）。
【００７５】
携帯通信端末１００が、その要求に応じて、利用者ＩＤを商品情報要求として情報サーバ３００に送信すると（ステップＳ２０３）、情報サーバ３００の通信部３０１が、商品情報要求としての利用者ＩＤを受信する。
【００７６】
通信部３０１が商品情報要求としての利用者ＩＤを受信すると、制御部３０６は、その利用者ＩＤに関連づけられたコンテンツ情報を利用者記憶部３０２から取得する（ステップＳ２０４）。
【００７７】
続いて、制御部３０６は、そのコンテンツ情報に対応する商品ＩＤをコンテンツ記憶部３０３から読み取り、その商品ＩＤに対応する商品情報を商品記憶部３０４から抽出する（ステップＳ２０５）。
【００７８】
続いて、制御部３０６は、その抽出された商品情報を主とする利用者向けの商品カタログを生成し、その商品カタログを、通信部３０１から携帯通信端末１００に送信する（ステップＳ２０６）。
【００７９】
その後、携帯通信端末１００と情報サーバ３００と店舗端末５００との間で、商品発注、受取／引渡しのための処理がなされる（ステップＳ２０７〜Ｓ２１１）。なお、これらの処理は公知技術にて実現できるため、その詳細は割愛する。
【００８０】
なお、上記商品販売システムにおいては、携帯通信端末１００は、放送信号を受信するたびに、その放送信号から得たコンテンツ情報を情報サーバ３００に送信していた。しかしながら、携帯通信端末１００は、コンテンツ情報をメモリ部１０７に蓄積し、商品情報要求を送信する際に、その蓄積されたコンテンツ情報を情報サーバ３００に送出するようにしてもよい。
【００８１】
本実施例によれば、商品情報要求としての利用者ＩＤが受信されると、制御部３０６は、その利用者ＩＤに関連づけられたコンテンツ情報を利用者記憶部３０２から読み取り、そのコンテンツ情報に応じて、携帯端末装置１００に提供する商品情報を変更する。コンテンツ情報は、その利用者が視聴した番組の内容を示し、利用者が視聴した番組は、利用者の嗜好、興味および関心に依存する。
【００８２】
このため、利用者の嗜好、興味および関心に沿った商品情報を、利用者に提供することが可能になる。よって、利用者は、気に入った商品を簡単に見つけることが可能になる。したがって、利用者は、購入する商品の選択および注文処理を容易に行うことが可能になる。
【００８３】
また、本実施例では、制御部３０６は、利用者記憶部３０２からコンテンツ情報を読み取ると、そのコンテンツ情報に対応する商品ＩＤをコンテンツ記憶部３０３から読み取り、その商品ＩＤに対応する商品情報を商品記憶部３０４から読み取り、その商品情報を、携帯通信端末１００に提供する。
【００８４】
この場合、コンテンツ情報と商品情報を別々に管理できる。
【００８５】
以上説明した実施例において、図示した構成は単なる一例であって、本発明はその構成に限定されるものではない。
【図面の簡単な説明】
【００８６】
【図１】本発明の一実施例の商品情報提供システムを示したブロック図である。
【図２】携帯通信端末１００の一例を示したブロック図である。
【図３】情報サーバ３００の一例を示したブロック図である。
【図４】利用者記憶部３０２の一例を示した説明図である。
【図５】コンテンツ記憶部３０３の一例を示した説明図である。
【図６】商品記憶部３０４の一例を示した説明図である。
【図７】本システムの動作を説明するためのシーケンス図である。
【図８】本システムの動作を説明するためのシーケンス図である。
【符号の説明】
【００８７】
１００      携帯通信端末
１０１      放送信号処理部
１０１ａ    アンテナ
１０２      無線通信部
１０２ａ    アンテナ
１０３      操作部
１０４      表示部
１０５      音声処理部
１０６      スピーカ
１０７      メモリ部
１０８      制御部
２００      放送事業者装置
３００      情報サーバ
３０１      通信部
３０２      利用者記憶部
３０３      コンテンツ記憶部
３０４      商品記憶部
３０５      メモリ
３０６      制御部
４００      商品センター装置
５００      店舗端末
６００      通信ネットワーク
【図１】
2007233693.tif 000003
【図２】
2007233693.tif 000004
【図３】
2007233693.tif 000005
【図４】
2007233693.tif 000006
【図５】
2007233693.tif 000007
【図６】
2007233693.tif 000008
【図７】
2007233693.tif 000009
【図８】
2007233693.tif 000010